(57)【特許請求の範囲】
【請求項１】
マイクロホンで生成された収音信号を遅延させた遅延音声信号を出力する遅延回路と、
前記遅延音声信号を出力するミュートオフ状態においてミュート操作入力を受け付けると、該ミュート操作入力の開始タイミングで、前記ミュートオフ状態から前記遅延音声信号を出力しないミュートオン状態に切り替え、
前記ミュートオン状態において前記ミュート操作入力を受け付けると、該ミュート操作入力の終了タイミングから、前記遅延回路による遅延時間よりも長い時間遅延させたタイミングで、前記ミュートオン状態から前記ミュートオフ状態に切り替える、制御部と、
を備えたことを特徴とする信号処理装置。
【請求項２】
前記遅延回路は、前記マイクロホンを備えた収音装置から、前記収音信号を入力し、
前記制御部は、
前記ミュート操作入力時に生じる操作音が前記マイクロホンで収音されて前記遅延回路における前記遅延音声信号に入力されるまでの時間と前記操作音の時間長とを、前記遅延時間に加算して切り替え制御を行う、
請求項１に記載の信号処理装置。
【請求項３】
前記ミュートオン状態を表示する表示部を備える、請求項１または請求項２記載の信号処理装置。
【請求項４】
前記表示部は、前記ミュートオン状態である場合に、相対的に高輝度の発光状態となり、前記ミュートオフ状態である場合に、相対的に低輝度の発光状態または発光停止状態となる、
請求項３に記載の信号処理装置。
【請求項５】
前記遅延回路は、前記収音信号に対して不要成分の抑圧処理を実行する回路である、請求項１乃至請求項４のいずれかに記載の信号処理装置。
【請求項６】
前記抑圧処理は、エコーキャンセル処理またはハウリングキャンセル処理である、
請求項５に記載の信号処理装置。
【請求項７】
前記遅延回路は、複数の収音信号を遅延して合成する合成部からなる、
請求項１乃至請求項４のいずれかに記載の信号処理装置。
【請求項８】
マイクロホンで生成された収音信号を遅延させた遅延音声信号を出力させ、
前記遅延音声信号を出力するミュートオフ状態においてミュート操作入力を受け付けると、該ミュート操作入力の開始タイミングで、前記ミュートオフ状態から前記遅延音声信号を出力しないミュートオン状態に切り替え、
前記ミュートオン状態において前記ミュート操作入力を受け付けると、該ミュート操作入力の終了タイミングから、前記遅延時間よりも長い時間遅延させたタイミングで、前記ミュートオン状態から前記ミュートオフ状態に切り替える、
動作を信号処理装置に実行させる、プログラム。
【発明の詳細な説明】
【技術分野】
【０００１】
本発明は、収音した音声を出力しないミュート機能を備える信号処理装置に関する。
【背景技術】
【０００２】
従来、音声会議装置等に利用される収音装置では、相手先に不要な音声を伝送しないようにするために、ミュート機能を備えたものがある。
【０００３】
このような収音装置のミュート機能として、例えば特許文献１のマイクロホン装置は、定常的にはミュートオン状態にあり、当該ミュートオン状態において押しボタンスイッチによる操作入力を受け付けると、ミュートオフ状態に制御する。そして、特許文献１のマイクロホン装置は、ミュートオフ状態において押しボタンスイッチによる操作入力を受け付けると、ミュートオン状態に制御する。特許文献１に記載のマイクロホン装置は、ミュートオン状態からミュートオフ状態に遷移する場合には、押しボタンスイッチの操作入力から所定時間後にミュートオフ状態にする。特許文献１に記載のマイクロホン装置は、ミュートオフ状態からミュートオン状態に遷移する場合には、押しボタンスイッチの操作入力のタイミングでミュートオン状態にする。
【０００４】
また、特許文献２に記載のミューティング方式では、ミュートオンの制御入力を受け付けると、入力音声信号を減衰させるとともに、当該減衰した入音声信号のゼロクロス点を検出し、当該ゼロクロス点に基づいてミュートオン制御を開始する。
【先行技術文献】
【特許文献】
【０００５】
【特許文献１】特開平１０−３０４４８７号公報
【特許文献２】特開昭５９−２１１３２２号公報
【発明の概要】
【発明が解決しようとする課題】
【０００６】
しかしながら、特許文献１に記載のマイクロホン装置のミュート方法では、マイクロホンの収音信号からミュートを実行するミュートスイッチまでの信号伝送経路に遅延が生じるような場合やミュートスイッチの動作速度によっては、押しボタンの操作時に発生する操作音がマイクロホンに回り込んで収音される収音信号に含まれる操作音信号を確実にミュートすることができない。
【０００７】
また、特許文献２のミュート方法では、入力音声信号（収音信号）の減衰処理と、ゼロクロス検出を行わなければならず、ミュート処理が煩雑になるとともに、ミュート処理用の回路やリソースの規模が大きくなってしまう。また、操作音信号の発生時はミュートオン状態でないので、操作音信号をミュートすることはできない。
【０００８】
本発明の目的は、ミュートオフからミュートオンへの遷移時も、ミュートオンからミュートオフへの遷移時も、確実に操作音をミュートすることができる信号処理装置を提供することにある。
【課題を解決するための手段】
【０００９】
この発明の信号処理装置は、マイクロホンで生成された収音信号を遅延させた遅延音声信号を出力する遅延回路と、前記遅延音声信号を出力するミュートオフ状態においてミュート操作入力を受け付けると、該ミュート操作入力の開始タイミングで、前記ミュートオフ状態から前記遅延音声信号を出力しないミュートオン状態に切り替え、前記ミュートオン状態において前記ミュート操作入力を受け付けると、該ミュート操作入力の終了タイミングから、前記遅延回路による遅延時間よりも長い時間遅延させたタイミングで、前記ミュートオン状態から前記ミュートオフ状態に切り替える、制御部と、を備えたことを特徴とする。
【発明の効果】
【００１０】
この発明によれば、ミュートオフからミュートオンへの遷移時、ミュートオンからミュートオフへの遷移時のいずれの遷移時であっても、操作音信号を確実にミュートすることができる。
【図面の簡単な説明】
【００１１】
【図１】本発明の第１の実施形態に係る収音装置１０の構成を示すブロック図である。
【図２】本発明の第１の実施形態に係る収音装置１０のミュート制御概念を説明するための状態遷移および波形図である。
【図３】本発明の第１の実施形態に係る収音装置の外観斜視図である。
【図４】本発明の実施形態に係る収音装置のミュート制御のフローチャートである。
【図５】本発明の第２の実施形態に係る収音装置のブロック図である。
【発明を実施するための形態】
【００１２】
本発明の第１の実施形態に係る収音装置について、図を参照して説明する。図１は、本発明の第１の実施形態に係る収音装置１０の構成を示すブロック図である。図２は、本発明の第１の実施形態に係る収音装置１０のミュート制御概念を説明するための状態遷移および波形図である。
【００１３】
収音装置１０は、マイクロホンＭＩＣ、操作入力部１１、ミュート制御部１２、遅延回路１３、およびミュートスイッチ１４を備える。
【００１４】
マイクロホンＭＩＣは、周囲の音を収音して収音信号Ｓｍを生成し、遅延回路１３に出力する。
【００１５】
遅延回路１３は、収音信号Ｓｍを所定時間遅延させた遅延音声信号Ｓｍｄを、ミュートスイッチ１４に出力する。遅延回路１３の遅延時間は予め設定されており、ミュート制御部１２が操作入力部１１の操作入力開始タイミングを検出してからミュートスイッチ１４をミュートオン状態に制御するまでの時間に基づいて決定されている。
【００１６】
より具体的には、遅延回路１３の遅延時間は、ミュート制御部１２が操作入力部１１の操作入力開始タイミングを検出してからミュートスイッチ１４をミュートオン状態に制御するまでの時間よりも長く設定されている。さらに、遅延回路１３による遅延時間は、このような条件において、できる限り短く設定するとよい。
【００１７】
ミュートスイッチ１４は、ミュート制御部１２からのミュート制御に応じて、開放もしくは短絡する。具体的には、ミュート制御部１２によってミュートオン制御が行われている時には、ミュートスイッチ１４は開放となる。これにより、遅延音声信号Ｓｍｄは出力されない。また、ミュート制御部１２によってミュートオフ制御が行われている時には、ミュートスイッチ１４は短絡となる。これにより、遅延音声信号Ｓｍｄは出力される。
【００１８】
操作入力部１１は、例えばタッチパネル等によって構成されるスイッチである。操作入力部１１は、操作入力状態に応じた操作信号をミュート制御部１２に出力する。例えば、操作入力部１１は、図２に示すように、操作者によって押し込みが行われている期間でＨｉ状態となり、押し込みが行われていない期間（押し込み解放期間）でＬｏｗ状態となる操作信号を出力する。
【００１９】
ミュート制御部１２は、ミュート制御情報を記憶している。ミュート制御情報とは、ミュートオン制御が行われている状態であるか、ミュートオフ制御が行われている状態かを示す情報である。
【００２０】
ミュート制御部１２は、操作入力信号と、操作入力信号を受けた時点でのミュート制御情報とに基づいて、ミュートスイッチ１４をミュート制御する。
【００２１】
＜ミュートオフ状態からミュートオン状態への遷移＞
具体的には、ミュート制御部１２は、ミュートオフ制御が行われている状態で、操作入力信号を受け付けると、ミュートスイッチ１４に対してミュートオン制御を行う。この際、図２に示すように、ミュート制御部１２は、操作入力信号がＬｏｗ状態からＨｉ状態に遷移するタイミングを検出する。言い換えれば、ミュート制御部１２は、操作入力の開始タイミングを検出する。ミュート制御部１２は、この操作入力開始タイミングに同期して、ミュートオン制御を行う。
【００２２】
このような処理を行うことで、図２に示すように、操作入力が開始されるタイミング、すなわち、操作入力部１１を操作して（押し込んで）操作音が発生するタイミングからミュートオン状態となる。操作音は、マイクロホンＭＩＣで収音されて、収音信号Ｓｍの成分となる。この操作音成分が遅延回路１３に入力されるタイミングは、操作入力が開始されるタイミングと略同じになる。したがって、遅延音声信号Ｓｍｄでは、操作音成分は、操作入力の開始タイミングよりも、遅延回路１３による遅延時間分だけ遅れたタイミングとなる。したがって、ミュートスイッチ１４に操作音成分が到達するタイミングでは、確実にミュートオン状態となっている。
【００２３】
＜ミュートオン状態の継続＞
ミュート制御部１２は、ミュートオン制御が開始されると、操作入力信号がＨｉ状態からＬｏｗ状態に遷移しても、ミュートオン制御を継続する。したがって、操作入力部１１を操作して（押し込みを解放して）操作音が発生するタイミングは、ミュートオン状態となっている。
【００２４】
＜ミュートオン状態からミュートオフ状態への遷移＞
ミュート制御部１２は、ミュートオン制御が行われている状態で、操作入力を受け付けると、ミュートスイッチ１４に対してミュートオフ制御を行う。この際、ミュート制御部１２は、操作入力信号がＬｏｗ状態からＨｉ状態に遷移し、その後、Ｈｉ状態からＬｏｗ状態に遷移するタイミングを検出する。言い換えれば、ミュート制御部１２は、操作入力の終了タイミングを検出する。
【００２５】
ミュート制御部１２は、この操作入力終了タイミングから、さらに所定時間Ｔｄｌｙを遅延させたのちにミュートオフ制御を行う。この所定時間Ｔｄｌｙは、操作入力時に発生する操作音がマイクロホンＭＩＣで収音されて遅延回路１３を介しミュートスイッチ１４に伝搬される時間よりも長く設定されている。
【００２６】
このような処理を行うことで、図２に示すように、ミュートオフのための操作入力が開始されるタイミング、すなわち、操作入力部１１を操作して（押し込んで）操作音が発生するタイミングでは、引き続きミュートオン状態となっている。そして、この操作音成分がミュートスイッチ１４に到達するタイミングでもミュートオン状態となっている。
【００２７】
さらに、図２に示すように、操作入力が終了するタイミングからミュート制御部１２による所定時間Ｔｄｌｙによる遅延時間分だけ、ミュートオフ制御が遅延しているので、操作入力終了タイミングに発生する操作音がミュートスイッチ１４に到達するタイミングでも、ミュートオン状態になっている。
【００２８】
したがって、図２の出力信号Ｓｏｕｔに示すように、操作音成分はミュートされ、出力されない。
【００２９】
以上のように、本実施形態の構成および処理を行うことで、ミュート制御のための操作音が出力されることを、確実に防止できる。
【００３０】
このような構成の収音装置は、図３に示すような構造の場合に、より有効に作用する。図３は、本発明の第１の実施形態に係る収音装置の外観斜視図である。
【００３１】
図３に示すように、収音装置１０は、略直方体形状の筐体１００を備える。筐体１００の天面１０１には、タッチパネルスイッチからなる操作入力部１１の操作面が配置されている。筐体の１００の側面１０２には、マイクロホンＭＩＣが配置されている。
【００３２】
このような構造の収音装置１０では、操作入力部１１とマイクロホンＭＩＣとが単一の筐体１００に装着されているので、操作入力部１１の操作音が、外部空間のみでなく筐体１００を介してマイクロホンＭＩＣに伝搬される。したがって、操作音は、マイクロホンＭＩＣで収音されやすい。しかしながら、本実施形態の構成および処理を用いることで、操作音はミュートされ、出力されない。
【００３３】
上述の実施形態では、収音装置１０の各部を、それぞれ独立する機能部とする例を示したが、次に示す処理をプログラム化して記憶しておき、読み出して実行することでも、同様の作用効果を得ることができる。図４は本発明の実施形態に係る収音装置のミュート制御のフローチャートである。また、詳細な処理の内容は、上述の記載されているものであるので、以下では詳細な説明を省略する。なお、以下のフローでは、ミュートオフ状態から開始されるフローチャートである。
【００３４】
収音装置１０は、マイクロホンＭＩＣからの収音信号Ｓｍを遅延させて遅延音声信号Ｓｍｄを生成する。この処理は、以下の処理とは別に継続的に実行される。
【００３５】
収音装置１０は、ミュートオフ状態であることを検出した状態で（Ｓ１０１）、操作入力を受け付けると（Ｓ１０２：Ｙｅｓ）、操作入力開始タイミングでミュートオン制御を実行する（Ｓ１０３）。なお、操作入力の受け付けが無い間は、ミュートオフ状態を継続する（Ｓ１０２：Ｎｏ）。
【００３６】
収音装置１０は、ミュートオフ状態を検出した状態で（Ｓ１０４）、操作入力を受け付けると（Ｓ１０５：ＹＥＳ）、操作入力終了タイミングで計時を開始する（Ｓ１０６）。なお、操作入力の受け付けが無い間は、ミュートオン状態を継続する（Ｓ１０５：Ｎｏ）。
【００３７】
収音装置１０は、計時時間が所定時間Ｔｄｌｙに達していない期間は（Ｓ１０７：Ｎｏ）、計時を継続する。
【００３８】
収音装置１０は、計時時間が所定時間Ｔｄｌｙに達したことを検出すると（Ｓ１０７：Ｙｅｓ）、ミュートオフ制御を実行する（Ｓ１０８）。
【００３９】
このような処理を実現することで、上述のように、ミュート制御のための操作音が出力されることを確実に防止できる。
【００４０】
次に、本発明の第２の実施形態に係る収音装置について、図を参照して説明する。図５は、本発明の第２の実施形態に係る収音装置のブロック図である。
【００４１】
本実施形態の収音装置１０Ａは、第１の実施形態に示した収音装置１０に対して、表示部１５を追加したものであり、他の構成は第１の実施形態に示した収音装置１０と同じである。したがって、第１の実施形態に係る収音装置１０と異なる箇所のみを説明する。
【００４２】
表示部１５は、上述の操作入力部１１を構成するタッチパネルスイッチのバックライト等としても機能し、例えばＬＥＤ照明となる。表示部１５には、ミュート制御部１２がミュートスイッチ１４を制御するためのミュート制御信号が入力される。表示部１５は、ミュートオン制御のミュート制御信号が入力されると、ミュートオン状態を示す発光を行う。例えば、高輝度の発光状態となる。表示部１５は、ミュートオフ制御のミュート制御信号が入力されると、ミュートオフ状態を示す発光を行う。例えば、低輝度の発光状態や、発光停止状態となる。
【００４３】
このように、ミュートオン状態を示す発光を行うことで、操作者が収音装置１０の操作面に指や手を接触させ続けなくても、ミュートオン状態であることを、確実に認識させることができる。逆に、ミュートオフ状態であることも、確実に認識させることもできる。
【００４４】
なお、表示部１５は、操作入力部１１のバックライトではなく、筐体１００の別の位置に個別に設けてもよい。
【００４５】
上述の実施形態では、マイクロホンＭＩＣは１本であるが、複数本であってもよい。この場合、複数のマイクロホンＭＩＣの収音信号を合成した合成収音信号を、遅延回路１３に出力する態様等を用いればよい。さらには、この合成部を遅延回路１３に置き換えてもよい。このように、合成部で遅延回路１３を兼用することで、別途遅延回路１３を設ける必要が無く、収音装置の小型化や、リソースの低減を実現できる。
【００４６】
また、上述の実施形態では、所定時間Ｔｄｌｙは、操作入力時に発生する操作音がマイクロホンＭＩＣで収音されて遅延回路１３を介しミュートスイッチ１４に伝搬される時間よりも長い時間に設定している。しかしながら、より好ましくは、操作音がこのような伝搬経路を通ってミュートスイッチ１４に伝搬される時間と、各部の動作時間誤差とを加算した値に設定するとよい。これにより、収音信号Ｓｍが収音されてから出力されるまでの遅延を、可能な限り短くすることができる。すなわち、操作音を出力せず、且つ、できる限りリアルタイムに近い状態で、収音した音声信号を出力することができる。
【００４７】
また、上述の実施形態では、操作入力の具体的な検出方法を記載していないが、例えば、押し込み量に閾値を設け、押し込み量が当該閾値以上になったことを検出した時に、操作入力の開始を検出し、押し込み量が閾値以下になったことを検出した時に、操作入力の終了を検出すればよい。この場合、押し込み量が所定閾値付近になることも考えられる。このような場合を想定して、所定時間長に亘る押し込み量の平均値から操作入力の開始、操作入力の終了を検出してもよい。また、物理的なスイッチであれば、単にスイッチの物理的な導通と開放によって、操作入力を検出すればよい。
【００４８】
また、上述の実施形態では、遅延回路１３は単なる遅延回路であるが、エコーキャンセル回路やハウリングキャンセル回路等、収音信号に対して不要成分を抑圧する処理を実行する回路で代用してもよい。このようなエコーキャンセル回路やハウリングキャンセル回路では、処理上遅延が発生するので、当該遅延を利用すればよい。
【符号の説明】
【００４９】
１０，１０Ａ：収音装置、
１１：操作入力部、
１２：ミュート制御部、
１３：遅延回路、
１４：ミュートスイッチ、
１５：表示部、
１００：筐体、
１０１：天面、
１０２：側面、
ＭＩＣ：マイクロホン
【図１】
0006315125.tif 000002
【図２】
0006315125.tif 000003
【図３】
0006315125.tif 000004
【図４】
0006315125.tif 000005
【図５】
0006315125.tif 000006